(57)【要約】【課題】高精度にガス濃度を検出しつつ検出応答性を向上できるガス濃度検出装置の提供を図る。【解決手段】ガス濃度検出装置１は、ガスの濃度を検出する検出部１０ａと、検出部１０ａを収容し且つガス導入口２２ａおよびガス排出口２２ｂを有する断熱包囲体２０と、ガス流通路５内を流れるガスを断熱包囲体２０のガス導入口２２ａへ向けて導く導入ガイド体３０と、を備える。導入ガイド体３０は上流端部３０ａがガス流通路５の上流側に向けて配置されている。【選択図】図１
2006275661.tif 000002
【特許請求の範囲】
【請求項１】
ガス流通路内を流通するガス中の少なくとも１つのガスの濃度を検出するガス濃度検出装置であって、
ガス中の少なくとも１つのガスの濃度を検出する検出部と、
前記検出部を収容し且つガス導入口およびガス排出口を有する断熱包囲体と、
前記ガス流通路内に配置され且つ該ガス流通路内を流れるガスを前記断熱包囲体のガス導入口へ向けて導く導入ガイド手段と、
を備え、
前記導入ガイド手段は、上流端部が前記ガス流通路の上流側に向けて配置されていることを特徴とするガス濃度検出装置。
【請求項２】
請求項１に記載のガス濃度検出装置であって、
前記導入ガイド手段は、気液分離部を有することを特徴とするガス濃度検出装置。
【請求項３】
請求項２に記載のガス濃度検出装置であって、  
前記導入ガイド手段の気液分離部は、上流側から下流側に湾曲された湾曲部であることを特徴とするガス濃度検出装置。
【請求項４】
請求項２または３に記載のガス濃度検出装置において、
前記導入ガイド手段は、下方に向けて開口する排水口を１以上備えることを特徴とするガス濃度検出装置。
【請求項５】
請求項４に記載のガス濃度検出装置であって、
少なくとも１つの排水口は、前記湾曲部の下方にあることを特徴とするガス濃度検出装置。
【請求項６】
請求項５に記載のガス濃度検出装置であって、
前記導入ガイド手段の前記湾曲部より下流側が、上方に向いて延在していることを特徴とするガス濃度検出装置。
【請求項７】
請求項１〜６のいずれか１項に記載のガス濃度検出装置であって、
前記断熱包囲体のガス導入口は、前記検出部以外の方向に向いていることを特徴とするガス濃度検出装置。
【請求項８】
請求項７に記載のガス濃度検出装置であって、
前記断熱包囲体は環状の内周面を備え、
前記検出部は、前記断熱包囲体の内周面から距離を空けて配置されることで、前記断熱包囲体の内周面と前記検出部との間には、断面リング状の空間部があり、
前記断熱包囲体のガス導入口は、前記断面リング状の空間部のほぼ接線方向に向いていることを特徴とするガス濃度検出装置。
【請求項９】
請求項８に記載のガス濃度検出装置であって、
前記断熱包囲体は、前記環状の内周面の中心軸線方向の少なくとも一端側に前記ガス排出口を備えることを特徴とするガス濃度検出装置。
【請求項１０】
請求項９に記載のガス濃度検出装置であって、
前記断熱包囲体の中心軸線は、上下方向に向いており、
前記ガス排出口は下方に設けられていることを特徴とするガス濃度検出装置。
【請求項１１】
請求項１０に記載のガス濃度検出装置であって、
前記断熱包囲体の前記ガス排出口が設けられた底面は、前記ガス排出口に向けて傾斜するテーパ面を備えることを特徴とするガス濃度検出装置。
【発明の詳細な説明】
【技術分野】
【０００１】
本発明は、ガス濃度検出装置に関し、特に、燃料電池システム等に用いる水素や酸素などの可燃性ガスが流通するガス通路内のガス濃度検出装置に関する。
【背景技術】
【０００２】
従来のガス濃度検出装置としては、例えば特許文献１に開示されるように、水素濃度あるいは酸素濃度を検出する検出素子に、高温（例えば６００℃〜９００℃）で動作する酸素イオン伝導性固体電解質を用いたものがある。このガス濃度検出装置は、可燃性ガスが流通するガス流通路で使用されるので、高温の検出素子が引火源とならないように、一端が開口し他端が閉塞した筒状のケースに、検出素子を納め、ケースの開口端を金網などで覆った構造を採用している。この構造によれば、ケース外につまりガス流通路全体に火炎伝播することを防止できる。
【特許文献１】特開平２０００−００９６８５
【発明の開示】
【発明が解決しようとする課題】
【０００３】
しかしながら、前記従来技術では、一端が開口し他端が閉塞した筒状のケースに、ガスが滞留してしまう。そのため、このようなケース内の検出素子は、ガス流通路を流れるガスの濃度変化を即座に検出できずに、検出応答性に劣る。
【０００４】
ここで、検出応答性を向上させるべく、検出素子をガス流（風）に直接さらしてしまうと、ガスの温度が比較的低温（例えば１００℃以下）である場合は、検出素子が適正作動温度よりも過度に冷やされて検出精度が低下してしまう可能性がある。また、ガス中に液水が含まれる場合は、液水が高温の検出素子に触れると気化膨張して、検出素子の周囲のガス濃度が変化（希釈）してしまい、検出精度の信頼性が低下してしまう可能性がある。なお、液水が気化すると、体積は１０００倍以上に膨張するため検出素子の周囲のガス濃度が大きく変化する。
【０００５】
本発明は、検出応答性を向上させつつ検出精度の信頼性を維持できるガス濃度検出装置の提供を目的とする。本発明は、特に液水を含むガスでも、検出応答性を向上させつつ検出精度の信頼性を維持できるガス濃度検出装置の提供を目的とする。
【課題を解決するための手段】
【０００６】
本発明は、ガス流通路内を流通するガス中の少なくとも１つのガスの濃度を検出するガス濃度検出装置であって、
ガス中の少なくとも１つのガスの濃度を検出する検出部と、前記検出部を収容し且つガス導入口およびガス排出口を有する断熱包囲体と、前記ガス流通路内に配置され且つ該ガス流通路内を流れるガスを前記断熱包囲体のガス導入口へ向けて導く導入ガイド手段と、を備え、
前記導入ガイド手段は、上流端部が前記ガス流通路の上流側に向けて配置されていることを特徴とするガス濃度検出装置。
【発明の効果】
【０００７】
本発明によれば、ガス流通路内を流通するガスの一部は、導入ガイド手段により断熱包囲体のガス導入口に案内され、断熱包囲体内を流通してガス排出口から排出される。そのため、断熱包囲体内にガスが常に流通し、装置の検出応答性が向上する。このとき、断熱包囲体内を流通するガスの流速および流量が落ちているため、また、検出部が断熱包囲体で囲まれているため、検出部が過冷却されて検出精度の信頼性が低下してしまうことがない。
【０００８】
ここで、ガス中に液水が含まれる場合には、液水が高温の検出部に接触すると気化膨張して検出部周囲のガス濃度が大きく変化して、検出精度の信頼性が低下するおそれがある。しかし本発明では、ガスの含まれる液水は、断熱包囲体内に流入する前に導入ガイド手段に付着して取り除かれるため、液水が断熱包囲体内に侵入し難くなる。しかも、断熱包囲体内に高温の検出部があるため導入ガイド手段が高温にならず、導入ガイド手段に付着した液水は気化しにくい。そのため、ガス流通路内を流通するガスが液水を多く含む場合であっても、水分含有量の少ないガスが検出部の周囲に少しづつ流通することになるため、ガス濃度検出装置の検出応答性が向上しつつ検出精度の信頼性が維持される。
【発明を実施するための最良の形態】
【０００９】
以下、本発明の一実施形態を図面に基づいて説明する。
【００１０】
図１、２を参照しつつ本実施形態のガス濃度検出装置について説明する。
【００１１】
図１はガス濃度検出装置の断面図である。本実施形態のガス濃度検出装置１は、燃料電池システムの、支燃性ガスおよび／または可燃性ガス（この例では酸素）が流れるガス流通路５のガス濃度を検出するものである。
【００１２】
ガス濃度検出装置１は、検出器１０と、検出器１０の検出部１０ａを覆う断熱包囲体２０と、導入ガイド手段としての導入ガイド体３０と、を備える。
【００１３】
検出器１０は、検出部１０ａと、検出部１０ａを固定するボディ１１と、を備える。検出部１０ａは、検出素子１２と、検出素子１２を覆う円筒状の保護管１３と、を備える。検出素子１２は、作動温度が例えば６００℃〜１０００℃程度の高温になる固体電解質型の検出素子である。なお、保護管１３には図示せぬ透孔が複数設けられている。
【００１４】
ボディ１１は、フランジ部１１ａと、フランジ部１１ａから突設された円筒状の検出部固定部１１ｂと、検出部固定部１１ｂとは逆方向に突設された円筒状のリード線固定部１１ｃと、を備える。なお、検出素子１２と電気的に接続され且つリード線固定部１１ｃから引き出されたリード線１４は、検出回路１５に接続される。
【００１５】
検出部固定部１１ｂの外周面にはネジ部が形成されており、この検出部固定部１１ｂが配管３のボス部６に螺合されることで、検出器１０が配管３に固定されている。配管３のボス部６とボディ１１のフランジ部１１ａとの間にはガスケットＧが介在し、リード線固定部１１ｃが配管３外に位置し、検出部１０ａが配管３内に位置している。
【００１６】
検出部１０ａを覆う断熱包囲体２０は、図示しない固定部品により配管３に固定され、配管３の内側つまりガス流通路５に配置されている。この断熱包囲体２０は、断熱性を備えるとともに例えば１５０℃以上の耐熱性を有した樹脂などから構成されている。
【００１７】
断熱包囲体２０の形状は、上端開口部２０ｃを有する箱形、言い換えると底壁２０ｂを有する筒形である。本実施形態では、特に上下方向に延びる中心軸線Ｃを中心とした円筒形で形成されている。この断熱包囲体２０の中心軸線Ｃと検出部１０ａの中心軸線とは一致しており、検出部１０ａの外周面と断熱包囲体２０の内周面２４（図２参照）との間には一定間隔のリング状の空間部２１が形成される。
【００１８】
断熱包囲体２０の円筒形の周壁部２０ａの上端近傍には、ガス導入口２２ａが開口し、断熱包囲体２０の略半球形状の底壁２０ｂの中央部には、ガス排出口２２ｂが開口している。また、断熱包囲体２０の底面２３にはガス排出口２２ｂに向けて除々に下り傾斜するテーパ面２３となっている。
【００１９】
導入ガイド体３０は、配管３内を流れるガスを、断熱包囲体２０のガス導入口２２ａに導くものであり、断熱包囲体２０または配管３に固定されている。本実施形態の導入ガイド体３０は、上流側の円筒状の第１通路３１ａと、下流側の半筒状または樋状の第２通路３１ｂと、を備え、全体として側面形状が略Ｌ字状に形成されている。第１通路３１ａは略水平方向に直線的に延在し、第２通路３１ｃは略垂直方向に向けて直線的に延在し、これら第１通路３１ａと第２通路３１ｂとは略直角形状の湾曲部３１ｂを介して連通している。
【００２０】
樋状の第２通路３１ｃの開放端部３４は、断熱包囲体２０の外周面に密着し、これにより樋状の第２通路３１ｃと断熱包囲体２０の外周面との間に略閉断面構造の通路が形成されている（図２参照）。
【００２１】
そして、導入ガイド体３０の上流端部としてのガス取入口３０ａは、配管３およびガス流通路５の上流側に向けて配置されている。一方、導入ガイド体３０の下流端部３０ｂは、断熱包囲体２０のガス導入口２２ａに隣接している。これにより、導入ガイド体３０の上流端部（つまりガス取入口３０ａ）から取り入れられたガスは、断熱包囲体２０のガス導入口２２ａに案内される。
【００２２】
この導入ガイド体３０の第１通路３１ａには、第１の排水口３２ａおよび第２の排水口３２ｂが設けられている。また、第１通路３１ａと第２通路３１ｃとの間の湾曲部３１ｂに、第３の排水口３２ｃが設けられている。いずれの排水口３２ａ、３２ｂ、３２ｃも下方に向けて開口している。
【００２３】
図２は図１中のＩＩ−ＩＩ線に沿う断面図である。
【００２４】
図２に示すように、断熱包囲体２０のガス導入口２２ａは検出部１０ａには向いておらず、リング状の空間部２１の接線方向（つまりタンデンシャル方向）を向いている。これにより、ガス導入口２２ａから断熱包囲体２０内に導入されるガスは、図２中点線矢印で示すように検出部１０ａの周囲２１をスムーズに旋回する。
【００２５】
次に、本実施形態の作用を説明する。
【００２６】
配管３内を流通するガスの一部は、導入ガイド体３０の上流端部のガス取入口３０ａから導入ガイド体３０内に導入され、導入ガイド体３０を流通したあと導入ガイド体３０の下流端部３０ｂから断熱包囲体２０のガス導入口２２ａに導入される。ガス導入口２２ａから断熱包囲体２０内に導入されたガスは、断熱包囲体２０内のリング状の空間部２１にそって旋回しながら流通し、ガス排出口２２ｂから排出される。
【００２７】
このように、断熱包囲体２０内にガスが常時流通するため、断熱包囲体２０内の検出部１０ａでは、配管３内を流通するガスの濃度変化を瞬時に検出できる。
【００２８】
ここで、導入ガイド体３０のガス取入口３０ａは、液水が多い配管３の内壁面から離れているため、導入ガイド体３０内には液水が浸入しにくい。飛沫水がガス取入口３０ａから導入ガイド体３０内に侵入してきた場合は、その多くが導入ガイド体３０の筒状の第１通路３１ａの内壁面に付着する。付着した液水は、自重により第１通路３１ａの内壁面をつたって底面に達し、底面の排水口３２ａ、３２ｂ、３２ｃを通って導入ガイド体３０の外部に排水される。
【００２９】
導入ガイド体３０の筒状の第１通路３１ａの内壁面に付着しなかった飛沫水は、慣性によって、第１通路３１ａの下流の湾曲部３１ｂの内壁面（この例では断熱包囲体２０の外周面）に、そのまま衝突する。衝突した液水は、自重により断熱包囲体２０の外周面をつたって降下し、湾曲部３１ｂの底面の第３の排水口３２ｃから排水される。このように、導入ガイド体３０は、多段的にガスに含まれる液水を気液分離する気液分離機能を有する。
【００３０】
そのため、ガス流通路５内を流通するガスが液水が多く含んでいても、水分含有量の少ないガスが検出部１０ａの周囲に流通することとなり、検出器１０の検出応答性が向上しつつも検出精度の信頼性が維持される。
【００３１】
次に本実施形態の効果をまとめる。
【００３２】
（１）本実施形態のガス濃度検出装置１は、ガス流通路５内を流通する可燃性ガスを含むガス中の少なくとも１つのガスの濃度を検出するガス濃度検出装置１であって、高温で動作し且つガス中の少なくとも１つのガスの濃度を検出する検出部１０ａと、検出部１０ａを収容し且つガス導入口２２ａおよびガス排出口２２ｂを有する断熱包囲体２０と、ガス流通路５内に配置され且つガス流通路５内を流れるガスを断熱包囲体２０のガス導入口２２ａへ向けて導く導入ガイド手段としての導入ガイド体３０と、を備え、導入ガイド体３０の上流端部３０ａがガス流通路５の上流側に向けて配置されたものである。
【００３３】
この構造により、ガス流通路５内を流通するガスの一部は、導入ガイド体３０により断熱包囲体２０のガス導入口２２ａに案内され、ガス導入口２２ａから断熱包囲体２０内を流通してガス排出口２２ｂから排出される。そのため、ガス流通路５内をガスが常に流通するため、検出装置１の検出応答性を向上できる。このとき、断熱包囲体２０内を流通するガスの流速および流量が落ちているため、また、検出部１０ａが断熱包囲体２０で囲まれているため、検出部１０ａが過冷却されて検出器１０の検出精度が低下してしまうことがない。
【００３４】
ここで、ガス中に含まれる液水が高温の検出部１０ａに接触すると気化膨張して、検出部周囲のガス濃度が大きく変化して、検出器１０の検出精度の信頼性が落ちることとなる。しかしながら、本実施形態では、ガス中に含まれる液水が導入ガイド体３０に付着してガスとは分離されるので、液水が断熱包囲体２０内に侵入し難くなる。しかも、導入ガイド体３０は断熱包囲体２０内にある高温の検出部１０ａの熱影響を受けないため、導入ガイド体３０に付着した液水は気化しにくい。
【００３５】
そのため、ガス流通路５内を流通するガスが液水が多く含んでいても、水分含有量の少ないガスが検出部１０ａの周囲に流通することとなり、検出器１０の検出応答性が向上しつつも検出精度の信頼性が維持される。
【００３６】
（２）また本実施形態のガス濃度検出装置１では、導入ガイド体３０が気液分離部（この例では湾曲部３１ｂ）を有する。そのため、導入ガイド体３０でより多くの液水を除去できる。
【００３７】
（３）また本実施形態のガス濃度検出装置１では、気液分離部３１ｂが、導入ガイド体３０の上流端部３０ａから下流端部３０ｂまでの間に設けられた湾曲部３１ｂである。この構造によれば、簡素な構成で気液分離部を構成できる。なお湾曲部３１ｂは、湾曲部３１ｂよりも上流側の通路３１ａに付着せずにそのまま飛んできた液水を、慣性によって導入ガイド体３０の内面に衝突させたりまたは導入ガイド体３０外へはじき出すことで、ガスから液水を分離させる気液分離部として機能する。
【００３８】
（４）また本実施形態のガス濃度検出装置１では、導入ガイド体３０が、下方に向けて開口する排水口３２ａ、３２ｂ、３２ｃを１以上備える。この構造によれば、導入ガイド体３０の通路３１ａ内に付着した液水や、湾曲部３１ｂに付着した液水が、液水の自重により排水口３２ａ、３２ｂ、３２ｃから排水されるため、簡素な構成で気液分離性能が向上する。
【００３９】
なお、本発明では、筒状の導入ガイド体３０自身をメッシュで構成したり、筒状の導入ガイド体３０の一部をメッシュで構成することで、排水機能を持たせることもできる。
【００４０】
（５）また、本実施形態のガス濃度検出装置１は、排水口３２ｃが湾曲部３１ｂの底面にある。そのため、気液分離部としての湾曲部３１ｂでガスから分離された液水を、直下の排水口３２ｃからそのまま排水できる。この構造によれば、排水性をさらに向上できる。
【００４１】
（６）また、本実施形態のガス濃度検出装置１は、導入ガイド体３０の湾曲部３１ｂより下流側の通路３１ｃが、上方に向いて延在している。この構造によれば、湾曲部３１ｂで付着した液水が、自重により下方の排水口３２ｃにスムーズに向かうため、液水が湾曲部３１ｂの下流側の通路３１ｃへ吹き流されてしまうことを防止でき、排水性をさらに向上できる。
【００４２】
（７）また、本実施形態のガス濃度検出装置１では、断熱包囲体２０のガス導入口２２ａが検出部１０ａ以外の方向に向いている。この構造によれば、万が一、液水が断熱包囲体２０に内に入ってきたとしても、検出部１０ａに液水が直撃しないため、断熱包囲体２０内で気化する液水を少なくでき、検出精度の信頼性をさらに高く維持できる。
【００４３】
（８）また、本実施形態のガス濃度検出装置１では、断熱包囲体２０の内周面２４は環状（なお、環状とは円形、多角形、楕円形を含む）であり、検出部１０ａが断熱包囲体２０の内周面２４から距離を空けて配置されることで断熱包囲体２０の内周面２４と検出部１０ａとの間に断面リング状の空間部２１が形成される。そして、断熱包囲体２０のガス導入口２２ａが断面リング状の空間部２１のほぼ接線方向（タンデンシャル方向）に向いている。
【００４４】
この構造によれば、（７）の効果に加え、ガスがガス導入口２２ａから断熱包囲体２０内にスムーズに導入されるとともに断熱包囲体２０内でスムーズに旋回するため、断熱包囲体２０内の通風抵抗が小さくなる。つまり、断熱包囲体２０への導入ガス量を容易に増やすことができ、容易に検出応答性を向上できる。
【００４５】
（９）また、本実施形態のガス濃度検出装置１では、断熱包囲体２０は環状の内側面２４の中心軸線Ｃの少なくとも一端側にガス排出口２２ｂを備える。この構造によれば、断熱包囲体２０内を螺旋状（つまりサイクロン状）にガスが流通するので、断熱包囲体２０内の流通抵抗がさらに低くなる。そのため、断熱包囲体２０への導入ガス量を増やすことがさらに容易となる。
【００４６】
また、この構造では、仮に液水が断熱包囲体２０内に入ってきても、サイクロン状のガス流の遠心力によって液水が断熱包囲体２０の内周面２４に押しつけられたままスムーズにガス排気口２２ｂに向かう。これにより、万が一、液水が断熱包囲体２０に内に入ってきたとしても、液水の断熱包囲体２０内での滞留時間を短くでき、断熱包囲体２０内で気化する液水量を少なくできる。
【００４７】
（１０）また、本実施形態のガス濃度検出装置１は、断熱包囲体２０の中心軸線は、上下方向（なおこの上下方向とは垂直方向でなくとも上下方向を向いていれば垂直に対して傾斜していてもよい）に向いており、ガス排出口２２ｂは断熱包囲体２０の下端中央部に設けられている。
【００４８】
この構造によれば、（９）の効果に加え、断熱包囲体２０に内に入ってきた液水が、その自重によってさらにスムーズに下方のガス排出口２２ｂに向かうこととなる。これにより、液水の断熱包囲体２０内の滞留時間をさらに短くでき、断熱包囲体２０内で気化する液水量をさらに少なくできる。
【００４９】
（１１）本実施形態のガス濃度検出装置１は、断熱包囲体２０のガス排出口２２ｂが設けられた底面２３は、ガス排出口２２ｂに向けて傾斜するテーパ面２３を備える。
【００５０】
この構造によれば、液水の断熱包囲体２０内の滞留時間をさらに短くできる。
【００５１】
（１２）本実施形態のガス濃度検出装置１は、断熱包囲体２０と導入ガイド体３０とが別体で形成されている。この構造によれば、断熱包囲体２０と導入ガイド体３０とを一体形成した場合よりも、導入ガイド体３０の温度を低く維持しやすい。そのため、導入ガイド体３０で気化する液水量をさらに少なくでき、さらに検出器１０の検出精度の信頼性を向上できる。
【００５２】
（１３）また本実施形態のガス濃度検出装置１では、導入ガイド体３０は半筒形または樋形（開断面形）の通路３１ｃの開放端部３４で、断熱包囲体２０と接触している。この構造によれば、断熱包囲体２０と導入ガイド体３０との接触面積を極めて小さくでき、断熱包囲体２０から導入ガイド体３０へ伝わる熱量をさらに少なくできる。つまり、導入ガイド体３０で気化する液水量をさらに少なくできる。
【００５３】
なお、本発明は上述の実施形態のみに限定されるものではなく、本発明の技術的思想を逸脱しない範囲内で変更可能である。
【００５４】
例えば上述の実施形態では、検出器１０が酸素濃度検出器であったが、高温で作動するガス濃度検出器であれば他のガスを検出する検出器であっても同様の効果が得られる。
【００５５】
また、上述の実施形態で図示した各部品のサイズは、ガス濃度検出装置の構成および作用効果を簡便に説明するものであって、各部のサイズおよび比率に限定されない。
【００５６】
断熱包囲体２０内へのガス導入量は、ガス取入口３０ａ、第１通路３１ａ、第２導入路３１ｃ、ガス導入口２２ａ、ガス排出口２２ｂの各通路断面積の大きさに依存するが、それぞれの大きさは、要求する検出精度（指示安定性）と検出応答性に応じて設定すればよい。例えば、検出精度を重視するのであれば、配管３内のガス流の１／１００以下の微量のガスが導入されるよう各サイズを設定すればよい。逆に、検出応答性を重視するのであれば、要求応答性に応じてサイズアップすればよい。なお、各サイズの関係は、ガス導入口２２ａ＜第２導入路３１ｃ＜第１通路３１ａ≦ガス取入口３０ａ≦ガス排出口２２ｂの順が好ましい。このようすると、タンデンシャル流の効果が最大になるからである。
【００５７】
さらに排水口（３２ａ、３２ｂ、３２ｃ）の数・大きさ・形状も断熱包囲体２０内へのガス導入量に影響するが、排水口は排水機能があればその数・大きさ・形状は限定されない。
【００５８】
また上述の実施形態では、導入ガイド体３０のガス取入口３０ａは配管３の軸線方向に沿っているが、本発明ではガス取付口３０ａが配管３の上流側に向いていれば、配管３の軸線方向に完全に一致する必要はなく、配管３の軸線方向に対して傾斜していてもよい。
【００５９】
また上述の実施形態では、導入ガイド体３０の気液分離部は湾曲部であったが、本発明では気液分離部は湾曲部に限られず、例えば導入ガイド体内に設けられる段差部や導入ガイド体内に配置されるメッシュ部材などであってもよい。
【００６０】
また上述の実施形態では導入ガイド体３０は、円筒状の第１通路と樋状の下流側通路とを備えた構造であるが、本発明では、導入ガイド体３０は上流端部３０ａから下流端部３０ｂまで全体を通じて筒状であってもよいし、上流端部３０ａから下流端部３０ｂまで全体が樋状であってもよいし、また板状であってもよい。
【００６１】
また、本発明では、導入ガイド体３０は、全体または一部がメッシュ部材であってもよい。また、本発明では導入ガイド体３０はブロック部材にドリル形成などにより通路を形成したものでもよい。
【産業上の利用可能性】
【００６２】
本発明のガス濃度検出装置は、ガス濃度検出装置の検出応答性を向上させつつ検出精度の信頼性を維持するであり、車両用の燃料電池システムに利用されるのみならず、その他の移動手段に利用される燃料電池システムや、家庭用やその他の定置用の燃料電池システムに利用できることは勿論のこと、ガス濃度を検出する部位であれば燃料電池システム以外のどのような分野にも利用可能である。
【図面の簡単な説明】
【００６３】
【図１】図１は本発明の一実施形態のガス濃度検出装置の断面図。
【図２】図２は図１中II−II線に沿う断面図。
【符号の説明】
【００６４】
１…ガス濃度検出装置
３…配管
５…ガス流通路
１０…検出器
１０ａ…検出部
１２…検出素子
１３…保護管
２０…断熱包囲体
２１…リング状の空間部
２２ａ…ガス導入口
２２ｂ…ガス排出口
２３…テーパ面（底面）
２４…内周面
３０…導入ガイド体（導入ガイド手段）
３０ａ…導入ガイド体の上流端部
３０ｂ…導入ガイド体の下流端部
３１ａ…第１通路
３１ｂ…湾曲部（気液分離部）
３１ｃ…第２導入路
３２ａ…第１の排水口
３２ｂ…第２の排水口
３２ｃ…第３の排水口
３４…開放端部
Ｃ…中心軸線
【図１】
2006275661.tif 000003
【図２】
2006275661.tif 000004